【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
一つ以上の表示ユニットに商品位置指示をグラフィカルに提示するためのシステムであって、
モジュール式の棚システムの棚に結合されるように構成された一つ以上の表示ユニットと、
該一つ以上の表示ユニットに通信可能に結合された一つ以上のプロセッサと、
該一つ以上のプロセッサに通信可能に結合された一つ以上のメモリコンポーネントと、
該一つ以上のメモリコンポーネントに記憶された機械可読命令であって、該一つ以上のプロセッサによって実行されるとき、該システムに、
商品に対応する商品識別子を決定させ、
該商品に対応する該商品識別子の決定に応じて、更新すべき一つ以上の表示ユニットを特定させ、
該更新すべき一つ以上の表示ユニットの特定に応じて、前記商品位置指示をグラフィカルに表示するために、更新が特定された該一つ以上の表示ユニットのグラフィカルな出力を更新させる、機械可読命令と、
を含み、
前記商品は、前記棚に補充されるべき商品であり、前記商品識別子は、前記棚に補充されるべき前記商品に対応しており、
前記商品位置指示は、前記商品が補充されるべき、前記一つ以上の表示ユニットの上方または下方の棚上の位置を示す、システム。
【請求項２】
前記機械可読命令は、前記一つ以上のプロセッサによって実行されるとき、前記システムに、
前記一つ以上の表示ユニットが商品補充モードになるリクエストを示す入力を受け取らせ、
該商品補充モードにするという該リクエストを示す該入力の受け取りに応じて、該一つ以上の表示ユニットが該商品補充モードであることを示すように該一つ以上の表示ユニットの前記グラフィカルな出力を変更させる、請求項１記載のシステム。
【請求項３】
前記機械可読命令は、前記一つ以上のプロセッサによって実行されるとき、前記システムに、
前記棚に補充されるべき前記商品のバーコードをスキャンさせ、
該バーコードに基づいて前記商品識別子を決定させる、請求項１記載のシステム。
【請求項４】
前記機械可読命令は、前記一つ以上のプロセッサによって実行されるとき、前記システムに、
プラノグラムを設定するリクエストを示す入力を受け取らせ、
設定すべき該プラノグラムを決定させ、
設定すべき該プラノグラムの決定に応じて、更新すべき前記一つ以上の表示ユニットを特定させ、
更新すべき該一つ以上の表示ユニットの特定に応じて、設定すべき該プラノグラムと関連付けられたプラノグラム設定情報をグラフィカルに提示するように更新が特定された該一つ以上の表示ユニットの前記グラフィカルな出力を更新させる、請求項１記載のシステム。
【請求項５】
前記グラフィカルに提示されたプラノグラム設定情報は、複数の棚上の商品の現在の配置に対してなすべき変更の視覚的指示を提供する、請求項４記載のシステム。
【請求項６】
前記グラフィカルに提示されたプラノグラム設定情報は、前記プラノグラムに従って商品が配置されるべきエリアの視覚的な縮小または拡大のアニメーションを含む、請求項４記載のシステム。
【請求項７】
前記機械可読命令は、前記一つ以上のプロセッサによって実行されるとき、前記システムに、
前記プラノグラム設定の完了を示す入力を受け取らせ、
該プラノグラム設定の完了を示す該入力の受け取りに応じて、前記一つ以上の表示ユニットを消費者モードに変更させる、請求項４記載のシステム。
【請求項８】
前記機械可読命令は、前記一つ以上のプロセッサによって実行されるとき、前記システムに、
第２の商品に対応する第２の商品識別子を決定させ、
該第２の商品に対応する該第２の商品識別子の決定に応じて、更新すべき第２の一つ以上の表示ユニットを特定させ、
該更新すべき第２の一つ以上の表示ユニットの特定に応じて、第２の商品位置指示をグラフィカルに表示するために、更新が特定された該第２の一つ以上の表示ユニットのグラフィカルな出力を更新させる機械可読命令と、
を含み、
該第２の商品は、前記棚から検索されるべき商品であり、前記第２の商品識別子は、前記棚から検索すべき前記第２の商品に対応する、請求項１記載のシステム。
【請求項９】
前記第２の商品位置指示は、前記第２の商品が検索されるべき前記第２の一つ以上の表示ユニットの上方または下方の棚上の位置を示す、請求項８記載のシステム。
【請求項１０】
一つ以上の表示ユニットに消費者に対する個人的なコンテンツをグラフィカルに提示するためのシステムであって、
モジュール式の棚システムの棚に結合されるように構成された一つ以上の表示ユニットと、
該一つ以上の表示ユニットに通信可能に結合された一つ以上のプロセッサと、
該一つ以上のプロセッサに通信可能に結合された一つ以上のメモリコンポーネントと、
該一つ以上のメモリコンポーネントに記憶された機械可読命令であって、該一つ以上のプロセッサによって実行されるとき、該システムに、
消費者識別子を受け取らせ、
該消費者識別子に基づいて、該消費者に対する表示用のコンテンツを特定させ、
該消費者識別子に基づいて、商品の特別価格を計算させ、
消費者位置を決定させ、
該消費者位置に基づいて、該消費者が該商品と関連付けられた該一つ以上の表示ユニットの最も近くにいるか否かを判定させ、
該消費者が該商品と関連付けられた該一つ以上の表示ユニットの最も近くにいるという判定に応じて、該一つ以上の表示ユニットに該特定されたコンテンツ及び該特別価格を表示させる機械可読命令と、
を含むシステム。
【請求項１１】
前記機械可読命令は、前記一つ以上のプロセッサによって実行されるとき、前記システムに、
所定時間の経過後に前記表示されたコンテンツを削除させる、請求項１０記載のシステム。
【請求項１２】
前記機械可読命令は、前記一つ以上のプロセッサによって実行されるとき、前記システムに、
所定時間の経過後に前記表示された特別価格を削除させる、請求項１０記載のシステム。
【請求項１３】
前記機械可読命令は、前記一つ以上のプロセッサによって実行されるとき、前記システムに、
前記消費者識別子と関連付けられた買い物リストを検索させ、
該買い物リストから買い物リストアイテムを特定させ、
該買い物リストアイテムに最も近い一つ以上の表示ユニットを特定させ、
消費者が該買い物リストアイテムの近くにいるか否かを判定させ、
該消費者が該買い物リストアイテムの近くにいると判定されれば、該買い物リストアイテムに最も近いとして特定された該一つ以上の表示ユニットを、買い物リストアイテム位置をグラフィカルに提示するように更新させる、請求項１０記載のシステム。
【請求項１４】
消費者位置が、前記買い物リストアイテムに最も近いとして特定された表示ユニットの閾値距離内にあるとき、前記消費者は、該買い物リストアイテムの近くにいると判定される、請求項１３記載のシステム。
【請求項１５】
前記機械可読命令は、前記一つ以上のプロセッサによって実行されるとき、前記システムに、
前記消費者が店舗を去ったか否かを判定させ、
前記一つ以上の表示ユニットを、前記買い物リストアイテム位置を削除するように更新させる、請求項１３記載のシステム。
【請求項１６】
付加的な商品情報を表示するためのシステムであって、
モジュール式の棚システムの棚に結合されるように構成された一つ以上の表示ユニットと、
該一つ以上の表示ユニットに通信可能に結合された一つ以上のプロセッサと、
該一つ以上のプロセッサに通信可能に結合された一つ以上のメモリコンポーネントと、
該一つ以上のメモリコンポーネントに記憶された機械可読命令であって、該一つ以上のプロセッサによって実行されるとき、該システムに、
付加的な商品情報を商品と関連付けさせ、
該商品の位置を決定させ、
該商品の位置に基づいて、該商品と関連付けられた該モジュール式の棚システムの棚に結合された表示ユニットを特定させ、
該特定された表示ユニットに該付加的な商品情報を表示させる機械可読命令と、
を含み、
該付加的な商品情報は、前記商品に関連付けられたアレルゲン情報および前記商品に関連付けられた仕入れ先情報のうちの少なくとも１つを含む、システム。
【請求項１７】
前記付加的な商品情報は、前記関連付けられた商品に合うお勧めのワインである、請求項１６記載のシステム。
【請求項１８】
前記機械可読命令は、前記一つ以上のプロセッサによって実行されるとき、前記システムに、
前記表示ユニットにバーコードを表示させ、
該表示されたバーコードがスキャンされたという指示を受け取らせ、
データリポジトリから該スキャンされたバーコードと関連付けられたコンテンツを検索させ、
該表示ユニットに該コンテンツを表示させる、請求項１６記載のシステム。
【請求項１９】
前記機械可読命令は、前記一つ以上のプロセッサによって実行されるとき、前記システムに、
所定時間の経過後に前記表示されたコンテンツを削除させる、請求項１８記載のシステム。
【請求項２０】
前記機械可読命令は、前記一つ以上のプロセッサによって実行されるとき、前記システムに、
前記モジュール式の棚システムの前記棚に結合された前記表示ユニットに顧客支援グラフィックを表示させ、
顧客支援ボタンの押圧を示す入力を受け取らせ、
顧客の顧客位置を決定させ、
該顧客支援ボタンの押圧を示す該入力の受け取りに応じて、顧客支援アラートを生成させる、請求項１６記載のシステム。
【請求項２１】
前記機械可読命令は、前記一つ以上のプロセッサによって実行されるとき、前記システムに、
前記顧客支援アラートおよび前記顧客位置を小売従業員デバイスへ送らせる、請求項２０記載のシステム。
【請求項２２】
前記機械可読命令は、前記一つ以上のプロセッサによって実行されるとき、前記システムに、
関連広告コンテンツを商品と関連付けさせ、
該商品の位置に基づいて、該商品と関連付けられた前記モジュール式の棚システムの前記棚に結合された前記表示ユニットを特定させ、
該特定された表示ユニットに該関連広告コンテンツを表示させる、請求項１６記載のシステム。
【請求項２３】
前記機械可読命令は、前記一つ以上のプロセッサによって実行されるとき、前記システムに、
前記表示ユニットの最も近くに消費者がいると判定させ、
該表示ユニットの最も近くに該消費者がいるという判定に応じて、該消費者を対象とする前記関連広告コンテンツを表示させる、請求項２２記載のシステム。
【請求項２４】
前記機械可読命令は、前記一つ以上のプロセッサによって実行されるとき、前記システムに、
前記モジュール式の棚システムの前記棚に結合された前記表示ユニットに宅配グラフィックを表示させ、
宅配ボタンの押圧を示す入力を受け取らせ、
消費者ＩＤを決定させ、
前記宅配ボタンの押圧を示す該入力の受け取りおよび該消費者ＩＤの決定に応じて、商品の注文を生成させる、請求項１６記載のシステム。